(57)【要約】【課題】  陶器製のペット用骨壺であって、軽量で構造が簡単で、且つ転倒時に蓋が外れにくいものの提供。【解決手段】  容器本体１の開口縁を段付に曲折し、その外周に正面視Ｌ字状の係合部４を形成する。そして、上蓋２の蓋開口部５に係止部６を設ける。【選択図】        図１
0003111010.tif 000002
【実用新案登録請求の範囲】
【請求項１】
陶器製の容器本体(1) と、その開口に着脱自在に取り付ける陶器製の上蓋(2) とを有する蓋付のペット用骨壺であって、
その容器本体(1) の開口縁部外周が段付きに縮小する縦断面Ｌ字状に形成されて、座部(3) を形成し、
その開口縁部の外周の一部に、それを薄肉にする第１欠切部(4a)と第２欠切部(4b)とが正面視Ｌ字状に形成された係合部(4) を有し、
その係合部(4) の第１欠切部(4a)は、開口縁から前記座部(3) まで上下方向に形成され、第２欠切部(4b)はその第１欠切部(4a)の底から、座部(3) 上面と面一に周方向に延在するように伸び、
前記上蓋(2) の周縁が環状に立ち下げられて、そこに蓋開口部(5) が形成され、その蓋開口部(5) が前記容器本体(1) の開口縁の外周に整合し、その端面が前記座部(3) に着座されるように構成され、
その蓋開口部(5) の先端縁の内側の一部に、前記第１欠切部(4a)の幅より小な幅の係止部(6) が半径方向中心側に突設され、その係止部(6) の厚みが前記第２欠切部(4b)の高さ以下に形成されたペット用骨壺。
【請求項２】
請求項１において、前記容器本体(1) の開口縁部は、その内面および外面共に、その縦断面がＬ字状になるように曲折形成され、
前記蓋開口部(5) の先端に僅かに内フランジ部(5a)が突設され、その内フランジ部(5a)の内周に互いに周方向に離間して複数の前記係止部(6) が設けられると共に、前記容器本体(1) の開口縁部外周に複数の前記係合部(4) が設けられたペット用骨壺。
【請求項３】
請求項１または請求項２において、透明の粘着フィルム(7) が前記容器本体(1) の外周にペットの写真(8)を介して貼着されるように付属されたペット用骨壺。
【請求項４】
請求項３において、容器本体(1) の外周に模様(1a)が予め付され、その模様(1a)の存在しない位置または、一部模様(1a)の上に前記ペットの写真(8) が前記粘着フィルム(7) により貼着されるように構成したペット用骨壺。
【考案の詳細な説明】
【技術分野】
【０００１】
本考案は、軽量で取り扱いやすいペット用骨壺に関する。
【背景技術】
【０００２】
従来のペット用骨壺は、人の骨壺をそのまま小型化したものであった。
【考案の開示】
【考案が解決しようとする課題】
【０００３】
人の骨壺をそのまま小型化し、ペット用骨壺とした場合、ペット愛好家にとって味わいのないものとなりがちである。また、骨壺が倒れたとき蓋が開き中の骨が散乱することがあった。
そこで本考案は、それらの問題点を解決し、ペット愛好家にとって満足のいく骨壷を提供することを課題とする。
【課題を解決するための手段】
【０００４】
請求項１に記載の本考案は、陶器製の容器本体(1) と、その開口に着脱自在に取り付ける陶器製の上蓋(2) とを有する蓋付のペット用骨壺であって、
その容器本体(1) の開口縁部外周が段付きに縮小する縦断面Ｌ字状に形成されて、座部(3) を形成し、
その開口縁部の外周の一部に、それを薄肉にする第１欠切部(4a)と第２欠切部(4b)とが正面視Ｌ字状に形成された係合部(4) を有し、
その係合部(4) の第１欠切部(4a)は、開口縁から前記座部(3) まで上下方向に形成され、第２欠切部(4b)はその第１欠切部(4a)の底から、座部(3) 上面と面一に周方向に延在するように伸び、
前記上蓋(2) の周縁が環状に立ち下げられて、そこに蓋開口部(5) が形成され、その蓋開口部(5) が前記容器本体(1) の開口縁の外周に整合し、その端面が前記座部(3) に着座されるように構成され、
その蓋開口部(5) の先端縁の内側の一部に、前記第１欠切部(4a)の幅より小な幅の係止部(6) が半径方向中心側に突設され、その係止部(6) の厚みが前記第２欠切部(4b)の高さ以下に形成されたペット用骨壺である。
【０００５】
請求項２に記載の本考案は、請求項１において、前記容器本体(1) の開口縁部は、その内面および外面共に、その縦断面がＬ字状になるように曲折形成され、
前記蓋開口部(5) の先端に僅かに内フランジ部(5a)が突設され、その内フランジ部(5a)の内周に互いに周方向に離間して複数の前記係止部(6) が設けられると共に、前記容器本体(1) の開口縁部外周に複数の前記係合部(4) が設けられたペット用骨壺である。
【０００６】
請求項３に記載の本考案は、請求項１または請求項２において、透明の粘着フィルム(7) が前記容器本体(1) の外周にペットの写真(8)を介して貼着されるように付属されたペット用骨壺である。
【０００７】
請求項４に記載の本考案は、請求項３において、容器本体(1) の外周に模様(1a)が予め付され、その模様(1a)の存在しない位置または、一部模様(1a)の上に前記ペットの写真(8) が前記粘着フィルム(7) により貼着されるように構成したペット用骨壺である。
【考案の効果】
【０００８】
本考案のペット用骨壺は、容器本体１の開口縁部外周の一部に正面視Ｌ字状に係合部４が形成され、それに上蓋２の係止部６が嵌着して周方向に回転することにより係止部６と係合部４とを係合させることができる。それによって、容器本体１が倒れても不用意に内部の骨がこぼれ出ることがない。
【０００９】
また、容器本体１の着脱が容易であると共に、係合部４及び係止部６の構造が簡単であり、陶器製の容器本体１、上蓋２にそれらを比較的容易に形成でき、量産性の高いものとなりうる。そして、係合部４は第１欠切部4aが開口縁から座部３まで上下方向に形成され、その座部３表面と同一面に第２欠切部4bが周方向に形成されているため、上蓋２の係止部６を第１欠切部4aに嵌着し、座部３に着座状態で、周方向に回転することにより、抜け止め係止できるから、その使い勝手が極めてよい。
【００１０】
上記構成において、容器本体１の開口縁部を縦断面Ｌ字状に曲折形成すると共に、蓋開口部５の先端にわずかに内フランジ部5aを突設した場合には、容器本体１及び上蓋２の開口部を丈夫に且つ薄肉化することができ、ペット用骨壺の軽量化に寄与できる。それによりとり扱い性のよい骨壺となりうる。
【００１１】
上記構成において、透明な粘着フィルム７を介して写真８を容器本体１外周に貼着できるようにした場合には、ペット愛好家にとって更に思い出深いペット用骨壺を提供できる。
【００１２】
上記構成において、容器本体１の外周に模様1aを予め付しておき、その模様1aの存在しない位置又は一部模様1aの上に写真８を粘着フィルム７により付着できるようにした場合には、更に味わい深い、綺麗なペット用骨壷を提供できる。
【考案を実施するための最良の形態】
【００１３】
次に図面に基づいて、本考案の実施の形態につき説明する。図１は本考案のペット用骨壺の要部斜視図であり、図２はその上蓋２を容器本体１に取り付けた状態の縦断面図である。
【００１４】
このペット用骨壺は、陶器製の容器本体１と、その開口に着脱自在に取り付ける陶器製の上蓋２とからなる。そして容器本体１、上蓋２は共に薄肉に形成され、且つその開口部を曲折形成して、丈夫で安定性のあるものとしている。即ち、図２に示す如く容器本体１の開口縁部は、環状の段付に曲折されて段状曲折部９を形成する。そして、その外面側に縦断面図Ｌ字状の座部３を形成する。更に、容器本体１の開口縁部の外周の一部に、それを薄肉にする第１欠切部4aと第２欠切部4bとを正面視でＬ字状に形成して係合部４を構成する。即ち、係合部４はその開口縁から座部３まで上下方向に形成され、その第１欠切部4aの底から座部３上面と面一に周方向に第２欠切部4bを連続して形成する。なお第２欠切部4bは先細りの楔状に形成され、後述する上蓋２の係止部６の円滑な案内面となる。
【００１５】
次に上蓋２は周縁が環状に立ち下げられて、その下端に蓋開口部５を形成する。その蓋開口部５の口縁部には図２に示す如く僅かに内フランジ部5aが形成されている。更にその内フランジ部5aには、係合部４に整合する係止部６が周方向に等間隔に離間（この例では３つ突設）されている。なお、係止部６は１つ以上あればよいが、バランス上複数設けることが好ましい。また前記係合部４は、容器本体１の開口縁外周に等間隔に（この例では３つ）形成されている。係止部６の幅は係合部４の第１欠切部4aの幅より小に形成され、その厚みは係合部４の第２欠切部4bの高さ以下に形成されている。
【００１６】
このようにしてなる上蓋２を容器本体１の開口縁に嵌着するには、その係止部６と係合部４の第１欠切部4aとを整合して、上蓋２を容器本体１に嵌着する。すると、その下端面が座部３に着座される。次いで、上蓋２をそのまま図１において右回転し、係止部６を第２欠切部4bに嵌着する。このようにすることにより、不用意に容器本体１が倒れても、上蓋２が容器本体１から外れることはない。このことは、内部の骨が散乱することを防止する。
また、上蓋２を容器本体１から取り外すには上蓋２を左回転し、次いでそれを持ち上げればよい。
なお、上記の第２欠切部4bは周方向右方へ形成してもよい。その場合には上蓋２を容器本体１に着座させた後、図１において左回転し係止部６を第２欠切部4bに嵌着させる。
【００１７】
次に、図３及び図４は本考案の第２の実施の形態を示し、この例は上記図１及び図２の構造に加えて、亡くなったペットの写真８を容器本体１外周に粘着フィルム７を介して張り付けることができるようにしたものである。即ち、このペット用骨壺には予め粘着剤および剥離紙が付着された透明フィルムが付属されている。そこで、一例として写真からペットの外周部分を切り取り、その写真８を容器本体１の表面に押し当て、その上から粘着フィルム７を被覆すればよい。なお、先に写真８を粘着フィルム７に貼着した状態で、それらを容器本体１外周に貼着してもよい。その状態を示したのが図４である。この例では粘着フィルム７は楕円形または円形に形成されているが、それに限定されるものではない。
【００１８】
次に、図５は本考案の更に他の実施の形態を示し、この例は予め容器本体１及び上蓋２に花等の模様1aが焼き付けにより装飾されたものである。そしてこの例では、一部に模様1aが存在しない部分が設けられ、そこにペットの写真８を配置できるようにしたものである。そして、写真８の上から粘着フィルム７を被着することにより、写真８を容器本体１外表面に保持するものである。
なお、模様1aを全面につけ、その上から写真８を貼着してもよい。また模様1aは各種のものが考えられる。
【図面の簡単な説明】
【００１９】
【図１】本考案のペット用骨壷の斜視図。
【図２】同ペット用骨壺であって、上蓋２を容器本体１に被着した状態の縦断面図。
【図３】本考案のペット用骨壷の第２の実施の形態を示す説明図。
【図４】同正面図。
【図５】本考案の更に他の例を示す正面図。
【符号の説明】
【００２０】
１  容器本体
1a  模様
２  上蓋
３  座部
４  係合部
【００２１】
4a  第１欠切部
4b  第２欠切部
５  蓋開口部
5a  内フランジ部
【００２２】
６  係止部
７  粘着フィルム  
８  写真
９  段状曲折部
【図１】
0003111010.tif 000003
【図２】
0003111010.tif 000004
【図３】
0003111010.tif 000005
【図４】
0003111010.tif 000006
【図５】
0003111010.tif 000007